(57)【要約】【課題】自身を識別するための識別符号を有する複数の電気機器に対して、手作業を介さず識別符号の重複を自動的に発見し、かつ重複を自動的に解消することができる電気機器制御システムを提供する。【解決手段】複数の照明器具３０それぞれが、第１の照明器具として、ＩＤの重複確認要求を他の照明器具３０に送信する。第１の照明器具から送信されたＩＤと自身のＩＤとが一致した照明器具３０は、親機の照明器具として自身以外の子機の照明器具３０に対して新しいＩＤの生成を要求する設定要求信号を送信する。子機の照明器具３０は、ＩＤを生成し、生成したＩＤを親機の照明器具へ送信する。親機の照明器具３０は、ＩＤを受信し、受信したＩＤに重複が無い場合、ＩＤの使用を設定する設定信号を子機の照明器具３０へ送信する。【選択図】図１
2013085149.tif 000002
【特許請求の範囲】
【請求項１】
自身を識別するための識別符号を有する複数の電気機器を備え、該複数の電気機器の動作を前記識別符号に基づいて制御する電気機器制御システムにおいて、
各電気機器は、
自身の識別符号及び該識別符号の重複の有無を確認するための確認要求信号を他の複数の電気機器へ自動的に送信する送信手段を備え、
前記他の複数の電気機器は、
前記識別符号及び確認要求信号を受信する受信手段と、
該受信手段で受信した識別符号が自身の識別符号と一致するか否かを判定する判定手段と、
該判定手段で一致すると判定した場合、識別符号を設定するための設定要求信号を自身以外の複数の電気機器へ送信する送信手段と
を備え、
前記設定要求信号を受信した各電気機器は、
新たな任意の識別符号を生成する生成手段を備えることを特徴とする電気機器制御システム。
【請求項２】
各電気機器は、
設定要求信号を送信する時点までの固有の待機時間を算出する待機時間算出手段を備え、
該待機時間算出手段で算出した待機時間が経過後に設定要求信号を送信するようにしてあり、
一の電気機器が送信した設定要求信号を受信した他の電気機器は、設定要求信号の送信を停止する停止手段を備えることを特徴とする請求項１に記載の電気機器制御システム。
【請求項３】
前記生成手段は、
暫定の識別符号を生成するようにしてあり、
前記送信元電気機器は、
受信した暫定の識別符号それぞれを予め定められた範囲の識別符号それぞれに対応付けて割り当てる割当手段を備えることを特徴とする請求項１又は請求項２に記載の電気機器制御システム。
【請求項４】
各電気機器は、
乱数を発生する乱数発生手段を備え、
前記生成手段は、
前記乱数発生手段で発生した乱数を暫定の識別符号として生成するように構成してあることを特徴とする請求項３に記載の電気機器制御システム。
【請求項５】
自身を識別するための識別符号を有する複数の電気機器と、該複数の電気機器の動作を前記識別符号に基づいて制御する制御装置とを備える電気機器制御システムにおいて、
前記制御装置は、
識別符号の重複の有無を確認するための確認要求信号を各電気機器へ自動的に送信する送信手段を備え、
各電気機器は、
前記確認要求信号を受信する受信手段と、
該受信手段で確認要求信号を受信した場合、自身の識別符号を前記制御装置へ送信する機器送信手段と
を備え、
前記制御装置は、
各電気機器が送信した識別符号を受信する受信手段と、
該受信手段で受信した識別符号同士の重複の有無を判定する判定手段と、
該判定手段で重複があると判定した場合、識別符号を設定するための設定要求信号を各電気機器へ送信するようにしてあり、
各電気機器は、
前記設定要求信号を受信した場合に、新たな任意の識別符号を生成する生成手段を備えることを特徴とする電気機器制御システム。
【請求項６】
前記電気機器は、
照明装置であることを特徴とする請求項１から請求項５までのいずれか１項に記載の電気機器制御システム。
【発明の詳細な説明】
【技術分野】
【０００１】
本発明は、自身を識別するための識別符号を有する複数の電気機器を備え、複数の電気機器の動作を識別符号に基づいて制御する電気機器制御システムに関する。
【背景技術】
【０００２】
家庭又は事務所などに複数の照明装置（照明器具）を設置している場合、照明装置の点灯、消灯又は調光などの動作制御は、壁などに設けられたスイッチ、リモコン、あるいは照明装置の近傍や周辺に設置されたセンサ（例えば、照度センサなど）などにより行われる。
【０００３】
複数の照明装置の動作を制御する場合、照明装置毎に固有の識別符号（以下、ＩＤとも称する）を設定することなく、それぞれの照明装置の制御を行う場合もあるが、一方で、照明装置毎に固有のＩＤ（識別符号）を設定して、ＩＤに基づいて動作制御を行う場合もある。
【０００４】
ＩＤを用いる場合には、それぞれ照明装置のＩＤ（識別符号、アドレスなど）が重複しないことが重要である。そこで、操作器からアドレス設定開始信号が送信された場合、コントロールユニットは、信号線を介してアドレス設定開始コマンド信号を各照明器具に送信する。各照明器具は、アドレス設定開始コマンドを受信するとアドレス設定優先モードに入ることにより、アドレス設定移行を明らかにしてアドレス設定を正確に行うことができる照明制御システムが開示されている（特許文献１参照）。
【先行技術文献】
【特許文献】
【０００５】
【特許文献１】特開２００４−６３２２８号公報
【発明の概要】
【発明が解決しようとする課題】
【０００６】
しかし、特許文献１のシステムにあっては、アドレス設定を開始するにあたって、操作器のアドレス設定開始要求に基づいてコントロールユニットがアドレス設定開始コマンド信号を送信するので、アドレス設定作業者が操作器を操作する必要がある。すなわち、各照明器具のアドレスの重複が発生した場合に、アドレス設定作業者が操作器を操作しない限り、各照明器具のアドレスの重複を解消することができない。
【０００７】
本発明は斯かる事情に鑑みてなされたものであり、自身を識別するための識別符号を有する複数の電気機器に対して、手作業を介さず識別符号の重複を自動的に発見し、かつ重複を自動的に解消することができる電気機器制御システムを提供することを目的とする。
【課題を解決するための手段】
【０００８】
本発明に係る電気機器制御システムは、自身を識別するための識別符号を有する複数の電気機器を備え、該複数の電気機器の動作を前記識別符号に基づいて制御する電気機器制御システムにおいて、各電気機器は、自身の識別符号及び該識別符号の重複の有無を確認するための確認要求信号を他の複数の電気機器へ自動的に送信する送信手段を備え、前記他の複数の電気機器は、前記識別符号及び確認要求信号を受信する受信手段と、該受信手段で受信した識別符号が自身の識別符号と一致するか否かを判定する判定手段と、該判定手段で一致すると判定した場合、識別符号を設定するための設定要求信号を自身以外の複数の電気機器へ送信する送信手段とを備え、前記設定要求信号を受信した各電気機器は、新たな任意の識別符号を生成する生成手段を備えることを特徴とする。
【０００９】
本発明にあっては、各電気機器は、自身の識別符号（ＩＤとも称する）及び識別符号の重複の有無を確認するための確認要求信号（例えば、重複確認要求コマンド）を他の複数の電気機器へ自動的に送信する。なお、確認要求信号の送信タイミングは適宜設定することができ、任意の周期で（例えば、数分に１回など）、あるいは電源投入時などの所定のイベントが発生したタイミングで送信することができる。なお、各電気機器が確認要求信号を送信する場合には、当該信号の衝突が起こり得るので、任意の周期は、ランダムな周期であり、繰り返し確認要求信号を送信する時間間隔が無作為である場合を含む。また、確認要求信号は、例えば、外部からのトリガの有無にかかわらず、各電気機器が独自のタイミングで自動的に送信される。
【００１０】
他の複数の電気機器は、ＩＤを含む確認要求信号を受信し、受信したＩＤ（識別符号）が自身のＩＤと一致するか否かを判定する。一致した場合には、他の複数の電気機器は、ＩＤを設定するための設定要求信号を自身以外の複数の電気機器へ送信する。
【００１１】
設定要求信号を受信した電気機器は、新たな任意の識別符号を生成する。新たな任意の識別符号が生成されることにより、識別符号の重複を解消することができる。また、仮に新たな識別符号が生成された場合に、なお重複が存在するときでも、確認要求信号が自動的に再度送信されるので、重複を解消することができる。
【００１２】
すなわち、各電気機器が、ＩＤ（識別符号）の重複確認要求を自動的に他の電気機器に送信するので、ＩＤの重複確認を自動的に行うことができる。なお、新たに生成されたＩＤ同士に重複がある場合には、再度重複要求信号を送信して再度新たなＩＤを生成するようにすればよい。新たなＩＤを生成する都度、生成されたＩＤが重複する可能性は減少するからである。これにより、自身を識別するための識別符号を有する複数の電気機器に対して、手作業を介さず識別符号の重複を自動的に発見し、かつ重複を自動的に解消することができる。
【００１３】
本発明に係る電気機器制御システムは、各電気機器は、設定要求信号を送信する時点までの固有の待機時間を算出する待機時間算出手段を備え、該待機時間算出手段で算出した待機時間が経過後に設定要求信号を送信するようにしてあり、一の電気機器が送信した設定要求信号を受信した他の電気機器は、設定要求信号の送信を停止する停止手段を備えることを特徴とする。
【００１４】
本発明にあっては、各電気機器は、設定要求信号を送信する時点までの固有の待機時間を算出し、算出した待機時間が経過後に設定要求信号を送信する。受信したＩＤ(識別符号)と自身のＩＤとが一致すると判定した電気機器は、固有の待機時間を算出する。すなわち、それぞれの電気機器が算出する待機時間は異なり、最も待機時間の短い電気機器が、最初に設定要求信号を送信することになる。そして、一の電気機器が送信した設定要求信号を受信した他の電気機器は、設定要求信号の送信を停止する。これにより、受信したＩＤと自身のＩＤとが一致する電気機器が複数存在する場合でも、当該複数の電気機器の中から１つだけを送信元電気機器（親機）として決定することができ、送信元電気機器以外の電気機器（子機）による新たなＩＤの自動生成を制御することができる。
【００１５】
本発明に係る電気機器制御システムは、前記生成手段は、暫定の識別符号を生成するようにしてあり、前記送信元電気機器は、受信した暫定の識別符号それぞれを予め定められた範囲の識別符号それぞれに対応付けて割り当てる割当手段を備えることを特徴とする。
【００１６】
本発明にあっては、生成手段は、暫定の識別符号を生成するようにしてあり、送信元電気機器は、受信した暫定の識別符号それぞれを予め定められた範囲の識別符号それぞれに対応付けて割り当てる。例えば、電気機器が１０台存在し、ＩＤが１から１０の数字として決定されているとすると、送信元電気機器が、暫定のＩＤを最終的に当初のＩＤに割り当てるので、送信元電気機器以外の電気機器（子機）は、当初のＩＤ（ＩＤ＝１〜１０）に制限されることなく任意の固有のＩＤを暫定ＩＤとして自由に生成することができる。
【００１７】
本発明に係る電気機器制御システムは、各電気機器は、乱数を発生する乱数発生手段を備え、前記生成手段は、前記乱数発生手段で発生した乱数を暫定の識別符号として生成するように構成してあることを特徴とする。
【００１８】
本発明にあっては、各電気機器は、乱数を発生し、発生した乱数を暫定の識別符号として生成する。これにより、新たに生成される暫定の識別符号（ＩＤ）が重複する可能性を低減することができる。
【００１９】
本発明に係る電気機器制御システムは、自身を識別するための識別符号を有する複数の電気機器と、該複数の電気機器の動作を前記識別符号に基づいて制御する制御装置とを備える電気機器制御システムにおいて、前記制御装置は、識別符号の重複の有無を確認するための確認要求信号を各電気機器へ自動的に送信する送信手段を備え、各電気機器は、前記確認要求信号を受信する受信手段と、該受信手段で確認要求信号を受信した場合、自身の識別符号を前記制御装置へ送信する機器送信手段とを備え、前記制御装置は、各電気機器が送信した識別符号を受信する受信手段と、該受信手段で受信した識別符号同士の重複の有無を判定する判定手段と、該判定手段で重複があると判定した場合、識別符号を設定するための設定要求信号を各電気機器へ送信するようにしてあり、各電気機器は、前記設定要求信号を受信した場合に、新たな任意の識別符号を生成する生成手段を備えることを特徴とする。
【００２０】
本発明にあっては、制御装置は、識別符号の重複の有無を確認するための確認要求信号（例えば、重複確認要求コマンド）を各電気機器へ送信する。なお、確認要求信号の送信タイミングは適宜設定することができ、任意の周期で（例えば、数分に１回など）、あるいは電源投入時などの所定のイベントが発生したタイミングで送信することができる。なお、制御装置が確認要求信号を送信する場合には、当該信号の衝突は起こり得ないので、任意の周期は、一定の周期でもよく、送信タイミングに特段の制約はない。また、確認要求信号は、例えば、外部からのトリガの有無にかかわらず、制御装置が独自のタイミングで自動的に送信される。各電気機器は、確認要求信号を受信した場合、自身の識別符号（ＩＤとも称する）を制御装置へ送信する。
【００２１】
制御装置は、各電気機器が送信したＩＤ(識別符号)を受信し、受信したＩＤ同士の重複の有無を判定する。重複があると判定した場合、ＩＤを設定するための設定要求信号を各電気機器へ送信する。各電気機器は、設定要求信号を受信した場合に、新たな任意のＩＤを生成する。新たな任意の識別符号が生成されることにより、識別符号の重複を解消することができる。また、仮に新たな識別符号が生成された場合に、なお重複が存在するときでも、確認要求信号が自動的に再度送信されるので、重複を解消することができる。
【００２２】
すなわち、制御装置が、ＩＤ（識別符号）の重複確認要求を自動的に各電気機器に送信するので、ＩＤの重複確認を自動的に行うことができる。なお、新たに生成されたＩＤ同士に重複がある場合には、再度重複要求信号を送信して再度新たなＩＤを生成するようにすればよい。新たなＩＤを生成する都度、生成されたＩＤが重複する可能性は減少するからである。これにより、自身を識別するための識別符号を有する複数の電気機器に対して、手作業を介さず識別符号の重複を自動的に発見し、かつ重複を自動的に解消することができる。
【００２３】
本発明に係る電気機器制御システムは、前記電気機器は、照明装置であることを特徴とする。
【００２４】
本発明にあっては、電気機器は、照明装置である。これにより、自身を識別するための識別符号を有する複数の照明装置に対して、手作業を介さず識別符号の重複を自動的に発見し、かつ重複を自動的に解消することができる照明制御システムを提供することができる。
【発明の効果】
【００２５】
本発明によれば、手作業を介さず識別符号の重複を自動的に発見し、かつ重複を自動的に解消することができる。
【図面の簡単な説明】
【００２６】
【図１】実施の形態１の照明制御システムの構成の一例を示すブロック図である。
【図２】実施の形態１の照明器具の構成の一例を示すブロック図である。
【図３】実施の形態１の照明制御システムの動作の一例を示す説明図である。
【図４】第２の照明器具が複数存在する場合の親機の決定方法の一例を示す説明図である。
【図５】新しいＩＤの割り当て方法の一例を示す説明図である。
【図６】実施の形態２の照明制御システムの構成の一例を示すブロック図である。
【図７】実施の形態２の制御装置の構成の一例を示すブロック図である。
【図８】実施の形態２の照明器具の構成の一例を示すブロック図である。
【図９】実施の形態３の照明制御システムの構成の一例を示すブロック図である。
【発明を実施するための形態】
【００２７】
（実施の形態１）
以下、本発明に係る電気機器制御システムをその実施の形態を示す図面に基づいて説明する。図１は実施の形態１の照明制御システム１００の構成の一例を示すブロック図である。以下では電気機器として、照明器具（照明装置とも称する）を用いた例について説明するが、電気機器は照明器具（照明装置）に限定されるものではない。
【００２８】
照明制御システム１００は、コントロールターミナル１０、ＰＬＣ変換装置２０、複数の照明器具３０などを備える。コントロールターミナル１０は、ＬＡＮケーブル１を介してＰＬＣ変換装置２０に接続してある。また、複数の照明器具３０は、通信ケーブル２（例えば、ＲＳ４８５など）を介してＰＬＣ変換装置２０に接続してある。
【００２９】
コントロールターミナル１０は、各照明器具３０のＩＤ（識別符号）を用いて、照明器具３０の点灯、消灯及び調光などの制御を行う。コントロールターミナルは、点灯、消灯及び調光などの指示（コマンド）をＰＬＣ変換装置２０へ送信する。
【００３０】
ＰＬＣ変換装置２０は、ＬＡＮインタフェースのデータ（コマンドを含む）をシリアル形式のデータに変換し、変換したデータを各照明器具３０へ送信する。また、ＰＬＣ変換装置２０は、シリアル形式のデータ（コマンドを含む）をＬＡＮインタフェースのデータに変換し、変換したデータをコントロールターミナル１０へ送信する。
【００３１】
図２は実施の形態１の照明器具３０の構成の一例を示すブロック図である。照明器具３０は、照明器具全体を制御する制御部３０１、通信部３０２、ＩＤ判定部３０３、ＩＤ生成部３０４、待機時間算出部３０５、固有のＩＤ（識別符号）などの所定の情報を記憶する記憶部３０６、親機・子機設定部３０７、ＩＤ割当部３０８、電源部３０９、光源部３１０などを備える。
【００３２】
通信部３０２は、例えば、ＲＳ４８５規格を用いた通信機能を有し、他の照明器具３０との間及びＰＬＣ変換装置２０との間のデータ（コマンドを含む）の送信・受信を行う。
【００３３】
通信部３０２は、例えば、他の照明器具が送信した確認要求信号（重複確認要求コマンド）を受信する。また、通信部３０２は、例えば、他の照明器具が送信した設定要求信号（ＩＤを設定するための設定要求信号）を受信する。また、通信部３０２は、例えば、他の照明器具が送信したＩＤを受信する。
【００３４】
通信部３０２は、例えば、他の照明器具へ確認要求信号（重複確認要求コマンド）を送信する。また、通信部３０２は、設定要求信号（ＩＤを設定するための設定要求信号）を送信する。また、通信部３０２は、ＩＤ生成部３０４で生成したＩＤ（暫定のＩＤ、新たなＩＤ）を他の照明器具へ送信する。また、通信部３０２は、ＩＤの使用を設定する設定信号を送信する。
【００３５】
ＩＤ判定部３０３は、通信部３０２で受信したＩＤ（識別符号）と記憶部３０６に記憶した自身のＩＤとが一致するか否かを判定する判定手段としての機能を有する。また、ＩＤ判定部３０３は、通信部３０２で受信したＩＤ（識別符号）同士が重複しているか否かを判定する重複判定手段としての機能を有する。
【００３６】
ＩＤ生成部３０４は、通信部３０２で設定要求信号を受信した場合に、新たなＩＤ（例えば、任意のＩＤ、暫定ＩＤ）を生成する生成手段としての機能を有する。
【００３７】
また、ＩＤ生成部３０４は、乱数を発生する乱数発生手段（不図示）を備え、発生した乱数を暫定のＩＤ（識別符号）として生成する。
【００３８】
待機時間算出部３０５は、設定要求信号を送信する時点までの固有の待機時間を算出する待機時間算出手段としての機能を有する。
【００３９】
親機・子機設定部３０７は、照明器具３０が親機であるか子機であるかを示すフラグを有している。初期値は、子機である旨のフラグを設定してある。親機・子機設定部３０７は、通信部３０２からＩＤを設定するための設定要求信号を送信する際に子機から親機に設定変更する。また、親機・子機設定部３０７は、通信部３０２からＩＤに使用を設定するための設定信号を送信する際に親機から子機に設定変更する。
【００４０】
ＩＤ割当部３０８は、通信部３０２で受信した暫定のＩＤそれぞれを予め定められた範囲のＩＤそれぞれに対応付けて割り当てる割当手段としての機能を有する。
【００４１】
電源部３０９は、例えば、定電流回路などを備え、光源部３１０へ所要の電力を供給する。電源部３０９は、制御部３０１の制御の下、光源部３１０の点灯、消灯を行う。また、電源部３０９は、制御部３０１の制御の下、光源部３１０の調光制御を行うこともでき、あるいは調色制御を行うこともできる。
【００４２】
光源部３１０は、例えば、光源としての複数のＬＥＤモジュールを備える。なお、ＬＥＤモジュールは、同じ発光色のものでもよく、電球色と昼白色のように発光色の異なるＬＥＤモジュールを備える構成でもよい。また、光源部３１０の光源は、ＬＥＤモジュールに限定されるものではなく、蛍光灯、電球、あるいは他の光源を用いてもよい。
【００４３】
次に、実施の形態１の照明制御システムの動作について説明する。図３は実施の形態１の照明制御システム１００の動作の一例を示す説明図である。なお、図３の例では、簡略化のため、照明器具３０が４台存在するものとし、符号ａ、ｂ、ｃ、ｄで表す。図３Ａに示すように、照明器具ａは、自身のＩＤ（ＩＤａ）及び当該ＩＤの重複の有無を確認するための確認要求信号（例えば、重複確認要求コマンド）を他の複数の照明器具ｂ、ｃ、ｄへ送信する。
【００４４】
なお、確認要求信号の送信タイミングは適宜設定することができ、任意の周期で（例えば、数分に１回など）、あるいは電源投入時などの所定のイベントが発生したタイミングで送信することができる。なお、各電気機器が確認要求信号を送信する場合には、当該信号の衝突が起こり得るので、任意の周期は、ランダムな周期であり、繰り返し確認要求信号を送信する時間間隔が無作為である場合を含む。また、確認要求信号は、例えば、外部からのトリガの有無にかかわらず、各電気機器が独自のタイミングで自動的に送信される。また、確認要求信号の他の送信タイミングとして、一定時間毎に任意の確率で送信することもできる。この場合には、送信する確率（送信するかしないかの確率）が変動するので、たとえ確認要求信号を送信する時間間隔が一定に設定されている場合でも、繰り返し確認要求信号の送信が実行されれば確認要求信号の衝突を防ぐことが可能となる。なお、複数の照明器具ａ〜ｄそれぞれが、確認要求信号を送信することができるが、図３の例では、照明器具ａを第１の照明器具として、確認要求信号を送信する場合について説明する。
【００４５】
図３Ｂに示すように、他の複数の照明器具ｂ、ｃ、ｄは、照明器具ａのＩＤを含む確認要求信号を受信し、受信したＩＤ（ＩＤａ）が自身のＩＤと一致するか否かを判定する。他の複数の照明器具ｂ、ｃ、ｄのうち、ＩＤが一致すると判定した照明器具ｃは、ＩＤを設定するための設定要求信号を、照明器具ａ（第１の照明器具）を含む自身以外の複数の照明器具ａ、ｂ、ｄへ送信する。すなわち、照明器具ｃは、照明器具ａ（第１の照明器具）のＩＤと同じＩＤを有するので、親機となって（第２の照明器具とも称する）、自身以外の照明器具ａ、ｂ、ｄ（例えば、子機として）へＩＤの設定要求信号を送信する。
【００４６】
図３Ｃに示すように、親機となった照明器具ｃ以外の照明器具ａ、ｂ、ｄ（すなわち、子機である照明器具ａ、ｂ、ｄ）は、設定要求信号を受信し、新たな任意のＩＤ（例えば、暫定ＩＤ）を生成し、生成したＩＤ（暫定ＩＤを含む）を、送信元照明器具（送信元電気機器）である照明器具ｃ（親機）へ送信する。照明器具ｃは、ＩＤ（暫定ＩＤ）を受信し、受信したＩＤ同士の重複の有無を判定する。これにより、照明器具ｃ（親機）は、自身以外の照明器具ａ、ｂ、ｄ（子機）それぞれが生成した新たなＩＤ（暫定ＩＤ）が相互に重複していないか判定する。
【００４７】
なお、親機が受信したＩＤ同士に重複があった場合でも、再度確認要求信号を送信する一連の制御が自動的に開始されることで重複が解消されるので、必ずしも生成したＩＤ同士の重複の有無の判定は、必須の構成ではなく、省略することができる。
【００４８】
図３Ｄに示すように、照明器具ｃは、新たなＩＤ同士が重複していないと判定した場合、自身以外の照明器具ａ、ｂ、ｄ（子機）それぞれが生成したＩＤの使用を設定する設定信号を自身以外の照明器具ａ、ｂ、ｄへ送信する。なお、新しいＩＤを使用する場合に、子機としての照明器具ａ、ｂ、ｄが生成したＩＤをそのまま最終的なＩＤとして使用することもでき、あるいは、子機としての照明器具ａ、ｂ、ｄが生成したＩＤに基づいて、親機としての照明器具ｃが新たに対応付けた新ＩＤを照明器具ａ、ｂ、ｄへ送信して使用することもできる。なお、新たに生成されたＩＤ同士の重複の有無の判定は必須ではないので、設定信号を送信する構成も必須ではなく、省略することができる。
【００４９】
上述のように、各照明器具が、ＩＤ（識別符号）の重複確認要求を自動的に他の照明器具に送信するので、ＩＤの重複確認を自動的に行うことができる。また、受信したＩＤと自身のＩＤが一致した照明器具は、送信元照明器具（親機）として自身以外の照明器具（子機）に対して新しいＩＤの生成を要求する設定要求信号を送信するので、重複したＩＤに代えて新しいＩＤに自動的に変更することができ、ＩＤの重複を自動的に解消することができる。なお、新たに生成されたＩＤ同士に重複がある場合には、再度重複要求信号を送信して再度新たなＩＤを生成するようにすればよい。新たなＩＤを生成する都度、生成されたＩＤが重複する可能性は減少するからである。これにより、自身を識別するための識別符号を有する複数の照明器具に対して、手作業を介さず識別符号の重複を自動的に発見し、かつ重複を自動的に解消することができる。
【００５０】
次に、複数の照明器具でＩＤが一致した場合、つまり複数の照明器具のうち３台以上の照明器具でＩＤが重複している場合に、いずれの照明器具が親機となるかの方法について説明する。図４は第２の照明器具が複数存在する場合の親機の決定方法の一例を示す説明図である。図４に示すように、第１の照明器具（照明器具ａ）が自身のＩＤとともに重複確認のための確認要求信号を送信した場合に、照明器具ｃ、ｄの両方が同じＩＤを有し、ＩＤが一致したとする。
【００５１】
照明器具ａが送信したＩＤ(識別符号)と一致するＩＤを有する照明器具が複数存在する場合（図４の例では、照明器具ｃ、ｄ）、照明器具ｃ、ｄそれぞれは、設定要求信号を送信する時点までの固有の待機時間を算出し、算出した待機時間が経過後に設定要求信号を送信する。図４の例では、照明器具ｃが算出した待機時間がＴ１であり、照明器具ｄが算出した待機時間がＴ２であり、両者の待機時間Ｔ１、Ｔ２の間には、Ｔ２＞Ｔ１の関係がある。すなわち、図４に示すように、最も短い待機時間を算出した照明器具ｃが、待機時間Ｔ１経過後に最初に設定要求信号を送信する。
【００５２】
そして、受信したＩＤと自身のＩＤとが一致すると判定した照明器具が複数存在する場合に、一の照明器具ｃが送信した設定要求信号を受信した他の照明器具ｄは、設定要求信号の送信を停止する。これにより、照明器具ａが送信したＩＤ(識別符号)と一致するＩＤを有する照明器具が複数存在する場合でも、複数の照明器具の中から１つだけを送信元照明器具（親機）として決定することができ、決定した親機から親機以外の照明器具（子機）に対して設定要求信号を送信することにより、新たなＩＤの自動生成を制御することができる。
【００５３】
親機からの設定要求信号に基づいて、子機で新たにＩＤを生成し、生成したＩＤに重複がない場合には、当該生成したＩＤをそのまま最終的なＩＤとして使用することができる。しかし、照明制御システム１００において、使用するＩＤの範囲が予め定められている場合には、それぞれ子機が予め定められた範囲の中で重複しないＩＤを生成することが困難である。そこで、そのような場合には、子機が生成したＩＤそれぞれを所定範囲のＩＤに対応付けて割り当てることができる。
【００５４】
図５は新しいＩＤの割り当て方法の一例を示す説明図である。図５に示すように、照明器具は、符号ａからｊまで１０台存在するとし、予め定められたＩＤを１から１０までとする。このような場合、照明器具（子機）は、暫定ＩＤを生成するようにしてあり、親機は、受信した暫定ＩＤそれぞれを予め定められた範囲の識別符号それぞれに対応付けて割り当てる。
【００５５】
例えば、照明器具が１０台存在し、ＩＤが１から１０の数字として決定されているとすると、親機が、暫定ＩＤを所定のＩＤに割り当てるので、子機は、当初のＩＤ（ＩＤ＝１〜１０）に制限されることなく任意の固有のＩＤを暫定ＩＤとして自由に生成することができる。
【００５６】
例えば、図５に示すように、子機は、乱数を発生し、発生した乱数を暫定ＩＤとして生成することができる。そして、例えば、生成された乱数（暫定ＩＤ）の小さい方から順番にＩＤ１、２、３、…、１０と割り当てることができる。新たに生成される暫定ＩＤが乱数により決定されるので、重複する可能性を低減することができる。
【００５７】
（実施の形態２）
図６は実施の形態２の照明制御システム１２０の構成の一例を示すブロック図である。図１に示す実施の形態１との相違点は、制御装置４０を備える点である。図７は実施の形態２の制御装置４０の構成の一例を示すブロック図であり、図８は実施の形態２の照明器具３１の構成の一例を示すブロック図である。
【００５８】
図７に示すように、制御装置４０は、制御装置４０全体を制御する制御部４０１、通信部４０２、ＩＤ重複判定部４０３、記憶部４０４、ＩＤ割当部４０５などを備える。
【００５９】
また、図８に示すように、実施の形態２の照明器具３１と、実施の形態１の照明器具３０との相違点は、実施の形態２の照明器具３１が、ＩＤ判定部３０３、待機時間算出部３０５、親機・子機設定部３０７、ＩＤ割当部３０８を具備しない点である。他の構成は実施の形態１と同様であるので説明は省略する。
【００６０】
通信部４０２は、例えば、ＲＳ４８５規格を用いた通信機能を有し、照明器具３１との間及びＰＬＣ変換装置２０との間のデータ（コマンドを含む）の送信・受信を行う。
【００６１】
通信部４０２は、例えば、照明器具３１が送信したＩＤ（識別符号）を受信する。また、通信部４０２は、照明器具３１へ確認要求信号（重複確認要求コマンド）を送信する。また、通信部４０２は、設定要求信号（ＩＤを設定するための設定要求信号）を送信する。また、通信部４０２は、ＩＤの使用を設定する設定信号を送信する。
【００６２】
ＩＤ重複判定部４０３は、照明器具３１が送信したＩＤ同士に重複がないか否かを判定する。
【００６３】
ＩＤ割当部４０５は、通信部４０２で受信した暫定ＩＤそれぞれを予め定められた範囲のＩＤそれぞれに対応付けて割り当てる。
【００６４】
次に、実施の形態２の照明制御システムの動作について説明する。制御装置４０は、ＩＤ（識別符号）の重複の有無を確認するための確認要求信号（例えば、重複確認要求コマンド）を複数の照明器具３１へ送信する。なお、確認要求信号の送信タイミングは適宜設定することができ、任意の周期で（例えば、数分に１回など）、あるいは電源投入時などの所定のイベントが発生したタイミングで送信することができる。なお、制御装置４０が確認要求信号を送信する場合には、当該信号の衝突は起こり得ないので、任意の周期は、一定の周期でもよく、送信タイミングに特段の制約はない。また、確認要求信号は、例えば、外部からのトリガの有無にかかわらず、制御装置４０が独自のタイミングで自動的に送信される。
【００６５】
各照明器具３１は、確認要求信号を受信した場合、自身のＩＤを制御装置４０へ送信する。
【００６６】
制御装置４０は、各照明器具３１が送信したＩＤを受信し、受信したＩＤ同士の重複の有無を判定する。重複があると判定した場合、ＩＤを設定するための設定要求信号を各照明器具３１へ送信する。
【００６７】
各照明器具３１は、設定要求信号を受信した場合に、新たな任意のＩＤを生成し、生成したＩＤを制御装置４０へ送信する。
【００６８】
制御装置４０は、ＩＤを受信し、受信したＩＤに重複がないと判定した場合、各照明器具３１それぞれが生成したＩＤの使用を設定する設定信号を各照明器具３１へ送信する。なお、制御装置４０が受信したＩＤ同士に重複があった場合でも、再度確認要求信号を送信する一連の制御が自動的に開始されることで重複が解消されるので、必ずしも生成したＩＤ同士の重複の有無の判定は、必須の構成ではなく、省略することができる。また、新たに生成されたＩＤ同士の重複の有無の判定は必須ではないので、設定信号を送信する構成も必須ではなく、省略することができる。
【００６９】
すなわち、制御装置４０が、ＩＤ（識別符号）の重複確認要求を自動的に複数の照明器具３１に送信するので、ＩＤの重複確認を自動的に行うことができる。また、制御装置４０は、各照明器具３１が送信したＩＤが重複する場合、各照明器具３１に対して新しいＩＤの生成を要求する設定要求信号を送信するので、重複したＩＤに代えて新しいＩＤに自動的に変更することができ、ＩＤの重複を自動的に解消することができる。なお、新たに生成されたＩＤ同士に重複がある場合には、再度設定要求信号を送信して再度新たなＩＤを生成するようにすればよい。新たなＩＤを生成する都度、生成されたＩＤが重複する可能性は減少するからである。これにより、自身を識別するための識別符号を有する複数の照明器具３１に対して、手作業を介さず識別符号の重複を自動的に発見し、かつ重複を自動的に解消することができる。
【００７０】
実施の形態１と同様に、実施の形態２において、照明器具３１は、暫定ＩＤを生成するようにしておき、制御装置４０は、受信した暫定ＩＤそれぞれを予め定められた範囲の識別符号それぞれに対応付けて割り当てることもできる。例えば、照明器具３１が１０台存在し、ＩＤが１から１０の数字として決定されているとすると、制御装置４０が、暫定ＩＤを所定のＩＤに割り当てるので、照明器具３１は、当初のＩＤ（ＩＤ＝１〜１０）に制限されることなく任意の固有のＩＤを暫定ＩＤとして自由に生成することができる。
【００７１】
例えば、照明器具３１は、乱数を発生し、発生した乱数を暫定ＩＤとして生成することができる。そして、例えば、生成された乱数（暫定ＩＤ）の小さい方から順番にＩＤ１、２、３、…、１０と割り当てることができる。新たに生成される暫定ＩＤが乱数により決定されるので、重複する可能性を低減することができる。
【００７２】
また、照明器具３１は、生成した乱数又は当該乱数に所定値を乗算して得られた値と同じ秒数（固有の待機時間）だけ待機した後に、暫定ＩＤを制御装置４０へ送信することもできる。これにより、照明器具３１が、生成したＩＤ（暫定ＩＤ）を制御装置４０へ送信する際に、通信線上の信号の衝突を避けることができる。
【００７３】
また、実施の形態２において、各照明器具３１が確認要求信号を受信した場合に、自身のＩＤを制御装置４０へ送信するときに、それぞれの照明器具３１が固有の遅れ時間を算出して、ＩＤの送信タイミングを照明器具３１の間でずらす（異ならせる）こともできる。通信線上のトラフィックの衝突が起こり得るような状態がある場合には、かかる状態を回避することができる。
【００７４】
（実施の形態３）
図９は実施の形態３の照明制御システム１５０の構成の一例を示すブロック図である。実施の形態１との相違点は、複数のコントロールターミナル１０、スイッチングハブ１５、インタフェースユニット２５、照度センサ２７を備える点である。
【００７５】
スイッチングハブ１５は、複数のコントロールターミナル１０とＰＬＣ変換装置２０との間の接続のスイッチング（切り替え）を行う。
【００７６】
照度センサ２７は、例えば、室内の所要の箇所（例えば、照明器具の周辺、窓際、ドアの周辺など）に設置し、周辺の照度を検出し、検出結果をインタフェースユニット２５へ出力する。
【００７７】
インタフェースユニット２５は、照度センサ２７からの照度結果をデジタルデータに変換し、変換したデジタルデータをＰＬＣ変換装置２０へ送信する。ＰＬＣ変換装置２０は、インタフェースユニット２５からのデジタルデータをコントロールターミナル１０へ送信する。
【００７８】
コントロールターミナル１０は、ＰＬＣ変換装置２０を介して取得した照度センサ２７での検出結果に応じて、照明器具３０の調光内容を決定し、調光指令を照明器具３０へ送信する。例えば、各照明器具３０のＩＤ（識別符号）に対する調光指令と照度センサ２７からの検出結果との関係を予め定めておくことができる。例えば、照度センサ２７で検出した照度が所定の閾値より小さくなった場合、ＩＤ＝１〜１０のうち、ＩＤ＝１、２、３の照明器具の明るさを２０％増加させるものと設定しておくことができる。
【００７９】
実施の形態１と同様に、実施の形態３においても、複数の照明器具それぞれが、第１の照明器具として、ＩＤ（識別符号）の重複確認要求を自動的に他の照明器具に送信するので、ＩＤの重複確認を自動的に行うことができる。また、第１の照明器具から送信されたＩＤと自身のＩＤが一致した照明器具は、第２の照明器具（親機）として自身以外の照明器具（子機）に対して新しいＩＤの生成を要求する設定要求信号を送信するので、重複したＩＤに代えて新しいＩＤに自動的に変更することができ、ＩＤの重複を自動的に解消することができる。なお、新たに生成されたＩＤ同士に重複がある場合には、再度重複要求信号を送信して再度新たなＩＤを生成するようにすればよい。新たなＩＤを生成する都度、生成されたＩＤが重複する可能性は減少するからである。これにより、自身を識別するための識別符号を有する複数の照明器具に対して、手作業を介さず識別符号の重複を自動的に発見し、かつ重複を自動的に解消することができる。
【００８０】
また、実施の形態３において、実施の形態２と同様に、制御装置４０を備える構成とすることもできる。
【００８１】
上述の実施の形態１〜３では、照明器具を識別するための固有（重複しない）のＩＤを自動的に各照明器具に付与することができるので、照明器具の生産時に固有のＩＤを書き込む作業（工程）が不要となる。また、照明器具の設置場所で、照明器具を交換した場合にも、個別に照明器具のＩＤを書き換える作業も不要となる。特に多数の照明器具が設置されている場合に、任意の照明器具を交換する場合、照明器具のＩＤをどのように書き換えるかが不明のときでも、自動的に固有のＩＤが付与されるので、交換作業が簡略化される。
【００８２】
上述の実施の形態においては、暫定ＩＤを乱数により生成する構成であったが、暫定ＩＤの生成方法は、乱数に限定されるものではない。例えば、各照明器具に供給される交流電圧を直流電圧に変換したときの直流電圧をアナログ・デジタル変換し、電圧変動に応じたデジタル値を暫定ＩＤとして用いることもできる。また、照明器具固有の製造番号（シリアル番号）を記憶しておき、製造番号又は製造番号に所定数を乗算等の演算を施して得られた値を暫定ＩＤとしてもよい。
【００８３】
上述の実施の形態１〜３では、電気機器として照明器具を例に挙げて説明したが、電気機器は、照明器具に限定されるものではなく、空調機器など他の電気機器にも適用することができる。
【符号の説明】
【００８４】
３０１  制御部
３０２  通信部
３０３  ＩＤ判定部
３０４  ＩＤ生成部
３０５  待機時間算出部
３０６  記憶部
３０７  親機・子機設定部
３０８  ＩＤ割当部
４０１  制御部
４０２  通信部
４０３  ＩＤ重複判定部
４０４  記憶部
４０５  ＩＤ割当部
【図１】
2013085149.tif 000003
【図２】
2013085149.tif 000004
【図３】
2013085149.tif 000005
【図４】
2013085149.tif 000006
【図５】
2013085149.tif 000007
【図６】
2013085149.tif 000008
【図７】
2013085149.tif 000009
【図８】
2013085149.tif 000010
【図９】
2013085149.tif 000011